(57)【要約】【課題】床仕上げ材を良好に固定させた状態で設置することが可能となる床暖房装置を提供する。【解決手段】暖房用加熱体１を備えた床暖房パネル本体Ｐの上面と床暖房パネル本体Ｐの上側に位置する状態で設けられる床仕上げ材４の下面とを接続する両面粘着テープ７に、その長手方向全長にわたって、厚さ方向に貫通する形態で空気を収納するための空気収納空間Ｋが形成されている。【選択図】図３
2008045347.tif 000002
【特許請求の範囲】
【請求項１】
暖房用加熱体を備えた床暖房パネル本体又は前記床暖房パネル本体の周辺に位置させて設けられる擬似パネルの上面と、前記床暖房パネル本体又は前記擬似パネルの上側に位置する状態で設けられる床仕上げ材の下面とが、両面粘着テープにて接続されている床暖房装置であって、
前記両面粘着テープに、その長手方向全長にわたって、厚さ方向に貫通する形態で、又は、少なくとも前記床暖房パネル本体又は前記擬似パネルが接続される側の接着面から厚さ方向に沿って凹入する形態で、空気を収納するための空気収納空間が形成されている床暖房装置。
【請求項２】
前記空気収納空間が、前記両面粘着テープにおける幅方向中央側箇所に、その両面粘着テープの長手方向に並ぶ状態で且つ厚さ方向に貫通する状態で形成された複数の貫通孔にて構成されている請求項１記載の床暖房装置。
【請求項３】
暖房用加熱体を備えた床暖房パネル本体又は前記床暖房パネル本体の周辺に位置させて設けられる擬似パネルの上面と、前記床暖房パネル本体又は前記擬似パネルの上側に位置する状態で設けられる床仕上げ材の下面とが、両面粘着テープにて接続されている床暖房装置であって、
前記両面粘着テープに、その長手方向全長にわたって連なる状態で、且つ、少なくとも前記床暖房パネル本体又は前記擬似パネルが接続される側の接着面から厚さ方向に沿って凹入する形態で、空気を前記長手方向外方に排出させる空気流通用空間が形成されている床暖房装置。
【請求項４】
前記空気流通用空間が、前記両面粘着テープにおける幅方向中央側箇所に、前記両面粘着テープの長手方向全長にわたって延びる状態で且つ前記接着面から厚さ方向に沿って凹入する状態で形成された溝部にて構成されている請求項３記載の床暖房装置。
【請求項５】
床暖房装置における床仕上げ材を設置するための床暖房装置用の両面粘着テープであって、
その長手方向全長にわたって、幅方向中央側箇所に長手方向に並ぶ状態で且つ厚さ方向に貫通する状態で複数の貫通孔が形成されている床暖房装置用の両面粘着テープ。
【発明の詳細な説明】
【技術分野】
【０００１】
本発明は、暖房用加熱体を備えた床暖房パネル本体又はその床暖房パネル本体の周辺に位置させて設けられる擬似パネルの上面と、それらの上側に位置する状態で設けられる床仕上げ材の下面とが、両面粘着テープにて接続されている床暖房装置、及び、床暖房装置用の両面粘着テープに関する。
【背景技術】
【０００２】
上記床暖房装置において、従来では、暖房用加熱体としての熱媒流通管と、その熱媒流通管を配設させるための溝部が形成された板状基材と、熱媒流通管の熱を均一に伝熱させるための均熱体等を備えて前記床暖房パネル本体が構成され、この床暖房パネル本体が床下地材に対して接着剤等によって固定され、その床暖房パネル本体の上面に両面粘着テープを用いて床仕上げ材の下面を接続するように構成され、前記両面粘着テープは、その接着面の全面が接着作用するように略平坦面状に形成されていた（例えば、特許文献１参照。）。前記床暖房パネル本体の周辺に位置する状態で擬似パネルが設置される場合もあるが、この場合には、床暖房パネル本体及び擬似パネルの上面に両面粘着テープを用いて床仕上げ材の下面を接続することになる。
【０００３】
【特許文献１】特開２００２−２４２４１４号公報
【発明の開示】
【発明が解決しようとする課題】
【０００４】
上記従来構成においては、床暖房パネル本体又は擬似パネルの上面に床仕上げ材を接続する際には、両面粘着テープの片側の粘着面が床仕上げ材に対して予め貼り付けられた状態になっており、このように床仕上げ材に両面粘着テープの片面が接着されている状態で、床下地材に対して固定されている床暖房パネル本体又は擬似パネルの上面に対して、前記両面粘着テープの他方側の面を接着させることにより、床暖房パネル本体又は擬似パネルの上面に床仕上げ材を接続することになる。
【０００５】
しかし、前記両面粘着テープは、その接着面の全面が略平坦面状に形成されており、その両面粘着テープにて接続される床暖房パネル本体又は擬似パネルと床仕上げ材とは、共に接続対象となる面が平面状であって、しかも、それらは一般に硬質材にて構成されるので、両面粘着テープの接着面における全領域において均一に接着用の荷重をかけることが難しく、両面粘着テープの接着面と床暖房パネル本体又は擬似パネルの上面との間で空気が挟み込まれて空気溜りが発生して、そのような空気溜りの存在によって、床暖房パネル本体又は擬似パネルと床仕上げ材との接続が良好に行えず、床仕上げ材を良好に固定させた状態で設置することができないおそれがあった。
【０００６】
説明を加えると、本出願人が、床暖房パネル本体の代わりに透明の樹脂板を利用して、両面粘着テープの接着面との間における接着状態を調べたところ、図１２に示すように、両面粘着テープ７の接着面の総面積に対して比較的大きな割合の面積にわたり空気溜りＤが発生して両面粘着テープ７が接着されない状態になっていることが判明した。図１２中で灰色で示した領域は両面粘着テープ７が良好に接着している箇所である。このように空気溜りＤが発生することに起因して、床暖房パネル本体又は擬似パネルと床仕上げ材との接続が良好に行えないものとなり、床仕上げ材を良好に固定した状態で設置することができないものとなるのである。
【０００７】
本発明の目的は、床仕上げ材を良好に固定した状態で設置することが可能となる床暖房装置を提供する点にある。
【０００８】
本発明の他の目的は、床仕上げ材を良好に固定した状態で設置することが可能となる床暖房装置用の両面粘着テープを提供する点にある。
【課題を解決するための手段】
【０００９】
本発明に係る床暖房装置は、暖房用加熱体を備えた床暖房パネル本体又は前記床暖房パネル本体の周辺に位置させて設けられる擬似パネルの上面と、前記床暖房パネル本体又は前記擬似パネルの上側に位置する状態で設けられる床仕上げ材の下面とが、両面粘着テープにて接続されているものであって、その第１特徴構成は、前記両面粘着テープに、その長手方向全長にわたって、厚さ方向に貫通する形態で、又は、少なくとも前記床暖房パネル本体又は前記擬似パネルが接続される側の接着面から厚さ方向に沿って凹入する形態で、空気を収納するための空気収納空間が形成されている点にある。
【００１０】
第１特徴構成によれば、前記両面粘着テープに、その長手方向全長にわたって空気を収納するための空気収納空間が形成される。その空気収納空間は、厚さ方向に貫通する形態で形成されるか、又は、少なくとも床暖房パネル本体又は擬似パネルが接続される側の接着面から厚さ方向に沿って凹入する形態で形成される。
【００１１】
床暖房パネル本体又は擬似パネルの上面に床仕上げ材を接続するために、例えば、床仕上げ材に両面粘着テープの片面の接着面が接着されている状態で床暖房パネル本体又は擬似パネルの上面に対して両面粘着テープの他方側の接着面を接着させるとき、上記したような空気収納空間が形成されていることから、両面粘着テープの接着面と床暖房パネル本体又は擬似パネルの上面との間に空気を挟み込むことがあってもその空気が前記空気収納空間に収納されて、両面粘着テープの接着面と床暖房パネル本体又は擬似パネルの上面とにおいて空気溜りが発生することが回避される。その結果、両面粘着テープの接着面と床暖房パネル本体又は擬似パネルの上面とが、前記空気収納空間が形成される箇所を除く略全ての領域において良好に接着することになる。
【００１２】
しかも、空気収納空間は両面粘着テープの長手方向全長にわたって形成されるので、両面粘着テープの長手方向全長にわたり、空気溜りの発生が回避されて両面粘着テープの接着面と床暖房パネル本体又は擬似パネルの上面とが前記空気収納空間が形成される箇所を除く略全ての領域において接着することになり、床暖房パネル本体又は擬似パネルの上面と床仕上げ材の下面とを両面粘着テープにて良好に接続することが可能となる。
【００１３】
従って、第１特徴構成によれば、床暖房パネル本体又は擬似パネルの上面に床仕上げ材を良好に接続することが可能となり、床仕上げ材を良好に固定した状態で設置することが可能となる床暖房装置を提供できるに至った。
【００１４】
本発明の第２特徴構成は、第１特徴構成に加えて、前記空気収納空間が、前記両面粘着テープにおける幅方向中央側箇所に、その両面粘着テープの長手方向に並ぶ状態で且つ厚さ方向に貫通する状態で形成された複数の貫通孔にて構成されている点にある。
【００１５】
第２特徴構成によれば、床暖房パネル本体又は擬似パネルの上面に床仕上げ材を接続するときに、両面粘着テープの接着面と床暖房パネル本体又は擬似パネルの上面との間に挟み込まれた空気が上記したようにして形成された複数の貫通孔に収納されることになり、両面粘着テープの接着面と床暖房パネル本体又は擬似パネルの上面との間において空気溜りが発生することを回避することができる。
【００１６】
このように、両面粘着テープの厚さ方向に貫通する状態で形成された複数の貫通孔にて前記空気収納空間が構成され、両面粘着テープの厚さ方向に貫通する空間を利用して空気を収納するようにしたので、両面粘着テープの接着面と床暖房パネル本体又は擬似パネルの上面とが接着しない領域の面積が少ない割には収納する空気の量を多くすることができる。その結果、空気溜りの発生を回避しながらも、両面粘着テープの接着面と床暖房パネル本体又は擬似パネルの上面との間の接着面積を充分に確保することが可能となる。
【００１７】
ところで、上記したような両面粘着テープの接着面と床暖房パネル本体又は擬似パネルの上面との間に挟み込まれる空気を効率よく収納させるための構成として、両面粘着テープにおける接着面の幅方向の広い範囲にわたり均等に分散させた状態で貫通孔を形成することも考えられるが、このような構成では、両面粘着テープの幅方向の端部側箇所にも貫通孔が形成されるので、接着力が低下して剥がれ易いものとなるおそれがある。しかし、上記したように貫通孔が両面粘着テープにおける幅方向中央側箇所に形成されることから、両面粘着テープの幅方向の端部側箇所における接着力が低下するおそれが少なく剥がれ難いものにすることが可能となる。
【００１８】
従って、第２特徴構成によれば、両面粘着テープによって、床暖房パネル本体又は擬似パネルの上面と床仕上げ材の下面とを、接着力が低下するおそれが少なく剥がれ難い状態で良好に接続することが可能となる床暖房装置を提供できるに至った。
【００１９】
本発明の第３特徴構成は、暖房用加熱体を備えた床暖房パネル本体又は前記床暖房パネル本体の周辺に位置させて設けられる擬似パネルの上面と、前記床暖房パネル本体又は前記擬似パネルの上側に位置する状態で設けられる床仕上げ材の下面とが、両面粘着テープにて接続されている床暖房装置であって、前記両面粘着テープに、その長手方向全長にわたって連なる状態で、且つ、少なくとも前記床暖房パネル本体又は前記擬似パネルが接続される側の接着面から厚さ方向に沿って凹入する形態で、空気を前記長手方向外方に排出させる空気流通用空間が形成されている点にある。
【００２０】
第３特徴構成によれば、前記両面粘着テープに空気流通用空間が形成されるが、この空気流通用空間は、空気流通用空間の長手方向全長にわたって連なる状態で、且つ、少なくとも床暖房パネル本体又は擬似パネルが接続される側の接着面から厚さ方向に沿って凹入する形態で形成される。
【００２１】
床暖房パネル本体又は擬似パネルの上面に床仕上げ材を接続するために、例えば、床仕上げ材に両面粘着テープの片面の接着面が接着されている状態で床暖房パネル本体又は擬似パネルの上面に対して両面粘着テープの他方側の接着面を接着させるとき、上記したような空気流通用空間が形成されていることから、両面粘着テープの接着面と床暖房パネル本体又は擬似パネルの上面との間に空気を挟み込むことがあってもその空気が前記空気流通用空間によって両面粘着テープの長手方向に沿って流通案内されて長手方向外方に排出されることになり、両面粘着テープの接着面と床暖房パネル本体又は擬似パネルの上面とにおいて空気溜りが発生することが回避される。その結果、両面粘着テープの接着面と床暖房パネル本体又は擬似パネルの上面とが、前記空気流通用空間が形成される箇所を除く略全ての領域において良好に接着することになる。
【００２２】
しかも、空気流通用空間は両面粘着テープの長手方向全長にわたって形成されるので、両面粘着テープの長手方向全長にわたり、空気溜りの発生が回避されて両面粘着テープの接着面と床暖房パネル本体又は擬似パネルの上面とが前記空気流通用空間が形成される箇所を除く略全ての領域において接着することになり、床暖房パネル本体又は擬似パネルの上面と床仕上げ材の下面とを両面粘着テープにて良好に接続することが可能となる。
【００２３】
従って、第３特徴構成によれば、床暖房パネル本体又は擬似パネルの上面に床仕上げ材を良好に接続することが可能となり、床仕上げ材を良好に固定した状態で設置することが可能となる床暖房装置を提供できるに至った。
【００２４】
本発明の第４特徴構成は、第３特徴構成に加えて、前記空気流通用空間が、前記両面粘着テープにおける幅方向中央側箇所に、前記両面粘着テープの長手方向全長にわたって延びる状態で且つ前記接着面から厚さ方向に沿って凹入する状態で形成された溝部にて構成されている点にある。
【００２５】
第４特徴構成によれば、両面粘着テープにおける幅方向中央側箇所に、その両面粘着テープの長手方向全長にわたって延びる状態で且つ接着面から厚さ方向に沿って凹入する状態で溝部が形成され、この溝部によって空気流通用空間が構成される。
【００２６】
そして、床暖房パネル本体又は擬似パネルの上面に床仕上げ材を接続するときに、両面粘着テープの接着面と床暖房パネル本体又は擬似パネルの上面との間に挟み込まれた空気が上記したようにして形成された溝部を通してテープ長手方向両側端部から外方に排出される。
【００２７】
ところで、上記したような両面粘着テープの接着面と床暖房パネル本体又は擬似パネルの上面との間に挟み込まれる空気を収納させるための構成として、両面粘着テープにおける接着面の幅方向の広い範囲にわたって間隔をあけて並ぶ状態で複数の溝部を形成することも考えられるが、このような構成では、両面粘着テープの幅方向の端部に近い箇所にも溝部が形成されるので、接着力が低下して剥がれ易いものとなるおそれがある。しかし、上記したように溝部は両面粘着テープにおける幅方向中央側箇所に形成されることから、両面粘着テープの幅方向の端部における接着力が低下するおそれが少なく剥がれ難いものにすることが可能となる。
【００２８】
従って、第４特徴構成によれば、両面粘着テープによって、床暖房パネル本体又は擬似パネルの上面と床仕上げ材の下面とを、接着力が低下するおそれが少なく剥がれ難い状態で良好に接続することが可能となる床暖房装置を提供できるに至った。
【００２９】
本発明の第５特徴構成は、床暖房装置における床仕上げ材を設置するための床暖房装置用の両面粘着テープであって、その長手方向全長にわたって、幅方向中央側箇所に長手方向に並ぶ状態で且つ厚さ方向に貫通する状態で複数の貫通孔が形成されている点にある。
【００３０】
第５特徴構成によれば、床暖房装置における床仕上げ材を設置するための床暖房装置用の両面粘着テープにおいて、その長手方向全長にわたって、幅方向中央側箇所に長手方向に並ぶ状態で且つ厚さ方向に貫通する状態で複数の貫通孔が形成されるので、このような構成の両面粘着テープを用いて、床暖房パネル本体等の上面に床仕上げ材を接続するときには、床暖房パネル本体の上面等、床仕上げ材の接続対象となる面と両面粘着テープの接着面とにおいて空気溜りが発生することを回避することが可能となる。
【００３１】
例えば、床仕上げ材に両面粘着テープの片面側の接着面が接着されている状態で床暖房パネル本体の上面等の接続対象面に対して両面粘着テープの他方側の接着面を接着させるとき、上記したような複数の貫通孔が形成されていることから、両面粘着テープの接着面と接続対象面との間に空気を挟み込むことがあってもその空気が複数の貫通孔に収納されて、両面粘着テープの接着面と接続対象面との間において空気溜りが発生することが回避される。
【００３２】
しかも、複数の貫通孔は両面粘着テープの長手方向全長にわたって形成されるので、両面粘着テープの長手方向全長にわたり、空気溜りの発生が回避されて両面粘着テープの接着面と接続対象面との間において貫通孔が形成される箇所を除く略全ての領域において接着することになり、両面粘着テープの接着面と接続対象面とを良好に接着させることが可能となる。
【００３３】
つまり、両面粘着テープの接着面と床仕上げ材の接続対象面とが、複数の貫通孔が形成される箇所を除く略全ての領域において接着することになり、床仕上げ材を良好に接続対象面に良好に接着させることが可能となる。
【００３４】
従って、第５特徴構成によれば、床仕上げ材を良好に接続することが可能となる床暖房装置用の両面粘着テープを提供できるに至った。
【発明を実施するための最良の形態】
【００３５】
本発明に係る床暖房装置及び床暖房装置用の両面粘着テープの実施形態を図面に基づいて説明する。
前記床暖房装置は、図１および図２に示すように、暖房用加熱体としての熱媒流通管１と、その熱媒流通管１を配設させるための溝部２ａが形成された板状基材２と、熱媒流通管１の熱を均一に伝熱させるための均熱体３などから構成され、均熱体３が、板状基材２の溝部２ａに熱媒流通管１を配設させた状態で、板状基材２の上面側に設けられ、その均熱体３の上面側に床仕上げ材４が設けられている。
【００３６】
前記板状基材２の溝部２ａは、熱媒流通管１を蛇行状に配設するように形成され、その蛇行状に配設される熱媒流通管１に熱媒供給部５を介して図外の熱源機から温水を通流させることにより、暖房対象の床が暖房されるように構成されている。
【００３７】
前記熱媒流通管１は、一般的に架橋ポリエチレン管やポリブテン樹脂管などが使用され、接続部のない２本の熱媒流通管１から構成されている。つまり、配管の信頼性を高めるために、接続箇所がなく一連の管として形成される熱媒流通管１を構成し、２本の熱媒流通管１を板状基材２に２本ずつ配管するように構成されている。
なお、２本の熱媒流通管１の両端は、熱媒供給部５に接続され、図外の熱源機から温水などの熱媒が熱媒供給部５の往き側を介して熱媒流通管１のそれぞれに供給され、その熱媒流通管１に供給された温水が、熱媒流通管１を通流して熱媒供給部５の戻り側に供給されて排出するように構成されている。
【００３８】
前記板状基材２の材質は、発泡樹脂製のもの、合板、パーチクルボードなどの木質製のものなどが適応可能であり、発泡樹脂製のものでは、例えば、硬質のポリスチレン発泡体やポリエチレン発泡体など各種の発泡体を用いることができ、又、発泡体の上面に合成樹脂製の樹脂シート成型体を積層する構成としてもよい。前記均熱体３は、アルミ箔等の熱伝導率がよい可撓性を備えた薄い金属などで構成され、板状基材２の上面に接着剤Ｓを用いて接着される構成となっている。
【００３９】
そして、板状基材２の溝部２ａに熱媒流通管１を配設させた状態で板状基材２上に均熱体３を接着剤Ｓにて接続して床暖房パネル本体Ｐが構成されており、図３に示すように、この床暖房パネル本体Ｐにおける板状基材２の下面部と床下地材６の上面部との間は接着剤Ｓにて接続するようになっている。
【００４０】
前記床仕上げ材４は、図３に示すように、約２．４ｍｍの厚さのゴム板４Ａの厚み方向両側に夫々、約０．４ｍｍの厚さの中密度繊維板４Ｂ（ＭＤＦ：Ｍｉｄｉｕｍ  Ｄｅｎｓｉｔｙ  Ｆｉｂｅｒｂｏａｒｄ）を接合して板体として形成されたものであり、外形寸法は、短尺寸法が約１５０ｍｍであり、長尺寸法が約９００ｍｍである。中密度繊維板（ＭＤＦ）４Ｂは、材木の廃材をすり潰して繊維状にしたのちに接着剤を加えて熱圧処理で板状に成形したものである。
【００４１】
そして、図３に示すように、床暖房パネル本体Ｐの上面Ｕとその床暖房パネル本体Ｐの上側に位置する状態で設けられる床仕上げ材４の下面４ａとが両面粘着テープ７にて接続される構成となっている。
説明を加えると、床仕上げ材４は、図４〜図６に示すように、１個あたり３本の両面粘着テープ７を用いて床暖房パネル本体Ｐの上面Ｕに接続するようになっている。これらの３本の両面粘着テープ７は、床仕上げ材４を生産する工場において予め片側の接着面７ａを床仕上げ材４に接着させる構成となっており、床仕上げ材４は３本の両面粘着テープ７が張り付けられた状態で工場から出荷されることになる。又、工場から出荷される際には、図示はしないが両面粘着テープ７の他方側の接着面７ｂには保護シートが張り付けられており、床暖房装置が設置される施工現場において床暖房パネル本体Ｐに接続する際には、作業者は、保護シートを手で剥してから手作業で床仕上げ材４を床暖房パネル本体Ｐに接続することになる。
【００４２】
尚、詳述はしないが、工場において片側の接着面７ａを床仕上げ材４に接着させるときは、接着面７ａと床仕上げ材４の表面との間に空気溜りが発生しないように、例えば、両面粘着テープ７の長手方向の一端側から他端側に向けてローラ等を用いて両面粘着テープ７の長手方向に沿って順次張り付けるようにしている。このようにして両面粘着テープ７と床仕上げ材４とを剥がれ難い状態で良好に接着させるようになっている。
【００４３】
前記両面粘着テープ７は、図７に示すように、不織布等を用いて構成された基材７Ａの両側面に粘着剤層７Ｂが形成され、その長手方向全長にわたって、厚さ方向に貫通する形態で空気を収納するための空気収納空間Ｋが形成されている。この空気収納空間Ｋは、両面粘着テープ７における幅方向中央側箇所に、その両面粘着テープ７の長手方向に並ぶ状態で且つ厚さ方向に貫通する状態で形成された複数の貫通孔９にて構成されている。
【００４４】
すなわち、両面粘着テープ７の長手方向全長にわたって、幅方向中央側箇所に長手方向に並ぶ状態で且つ厚さ方向に貫通する状態で複数の貫通孔９が形成されている。具体的な構成について説明すると、両面粘着テープ７は、横幅寸法が約１５ｍｍであり、長手方向は床仕上げ材４の形状に応じて適宜切断して用いられることになる。そして、幅方向中央側箇所に、約３ｍｍピッチの間隔をあけて直径が約１ｍｍの複数の貫通孔９が長手方向に一列で並ぶ状態で形成されている。尚、両面粘着テープ７の厚みは、０．２５〜０．３ｍｍｍ程度である。
【００４５】
このような両面粘着テープ７を用いて床仕上げ材４を床暖房パネル本体Ｐの上面Ｕに接続するようにしたので、床暖房パネル本体Ｐの上面に床仕上げ材４を接続するときに、両面粘着テープ７の接着面７ｂと床暖房パネル本体Ｐの上面Ｕとの間に挟み込まれた空気が複数の貫通孔９に収納されることになり、両面粘着テープ７の接着面７ｂと床暖房パネル本体Ｐの上面Ｕとの間において空気溜りが発生することが回避されて、床暖房パネル本体Ｐの上面Ｕと床仕上げ材４の下面４ａとを両面粘着テープ７にて良好に接続することができるのである。
【００４６】
説明を加えると、本出願人が、床暖房パネル本体Ｐの代わりに透明の樹脂板を利用して、両面粘着テープ７の接着面との間における接着状態を調べたところ、図１１に示すように、複数の貫通孔９が形成される部分を除く略全ての領域で良好に接着していることが確認できた。図１１の灰色で示した領域は両面粘着テープ７が良好に接着している箇所を示している。このことから、床暖房パネル本体Ｐの上面Ｕと床仕上げ材４の下面４ａとを両面粘着テープ７にて良好に接続することが可能となるのである。
【００４７】
〔第２実施形態〕
この実施形態では、両面粘着テープ７の構成が第１実施形態とは異なっているが、両面粘着テープ７以外の構成は、上記第１実施形態と同様であるから、異なる構成について説明し、同じ構成については説明は省略する。
【００４８】
この実施形態では、前記両面粘着テープに、その長手方向全長にわたって連なる状態で、且つ、少なくとも床暖房パネル本体又は擬似パネルが接続される側の接着面から厚さ方向に沿って凹入する形態で、空気を前記長手方向外方に排出させる空気流通用空間が形成されている。そして、前記空気流通用空間が、前記両面粘着テープにおける幅方向中央側箇所に、前記両面粘着テープの長手方向全長にわたって延びる状態で且つ前記接着面から厚さ方向に沿って凹入する状態で形成された溝部にて構成されている。
【００４９】
具体的に説明すると、図８及び図９に示すように、床暖房パネル本体Ｐの上面Ｕと床暖房パネル本体Ｐの上側に位置する状態で設けられる床仕上げ材４の下面４ａとを接続する両面粘着テープ７に、その長手方向全長にわたって連なる状態で、且つ、少なくとも床暖房パネル本体又は擬似パネルが接続される側の接着面から厚さ方向に沿って凹入する形態で、空気を前記長手方向外方に排出させる空気流通用空間Ｒが形成されている。そして、この空気流通用空間Ｒは、両面粘着テープ７における幅方向中央側箇所に、その両面粘着テープ７の長手方向全長にわたって延びる状態で且つ前記接着面７から厚さ方向に沿って凹入する状態で形成された溝部１０にて構成されている。
【００５０】
説明を加えると、図８に示すように、両面粘着テープ７における床暖房パネル本体Ｐが接続される側の接着面に、長手方向全長にわたって幅方向の一部において所定幅にわたり粘着剤層７Ｂが設けられていない構成となっており、この粘着剤層７Ｂが設けられていない空き領域にて、接着面から厚さ方向に沿って凹入する状態で形成された溝部１０が構成されている。
【００５１】
このような両面粘着テープ７を用いて床仕上げ材４を床暖房パネル本体Ｐの上面Ｕに接続するようにしたので、図９に示すように、床暖房パネル本体Ｐの上面Ｕに床仕上げ材４を接続するときに、両面粘着テープ７の接着面７ｂと床暖房パネル本体Ｐの上面Ｕとの間に挟み込まれた空気が、そのうちの一部は上記したようにして形成された溝部１０に収納され、多くの空気は溝部１０を通してテープ長手方向両側端部から外方に排出されることになり、両面粘着テープ７の接着面７ｂと床暖房パネル本体Ｐの上面Ｕとの間において空気溜りが発生することが回避されて、床暖房パネル本体Ｐの上面Ｕと床仕上げ材４の下面４ａとを両面粘着テープ７にて良好に接続することができるのである。
【００５２】
〔第３実施形態〕
この実施形態における床暖房装置では、第１実施形態で説明した床暖房パネル本体Ｐの周辺に擬似パネルとしての周辺パネルＷが配設される構成となっており、この周辺パネルＷの上面にも複数の床仕上げ材４が設置される構成となっている。尚、周辺パネル以外の構成は、上記第１実施形態と同様である。
【００５３】
図１０に示すように、床暖房パネル本体Ｐは、暖房対象となる床面積に応じて、その大きさが適宜変更され、床暖房が必要な部分に敷設され、その床暖房パネル本体Ｐの周辺で室内の隅など床暖房が不必要な部分には、周辺パネルＷを敷設するように構成されている。前記周辺パネルＷは、床暖房パネル本体Ｐの板状基材２と同様に、発泡樹脂製のもの、合板、パーチクルボードなどの木質製のものなどが適応可能である。そして、この実施形態では、床暖房パネル本体Ｐだけでなく、周辺パネルＷの上面にも、両面粘着テープ７を用いて床仕上げ材４が接続される構成となっている。
【００５４】
〔別実施形態〕
以下、別実施形態を列記する。
【００５５】
（１）上記第１実施形態では、空気収納空間として、幅方向の寸法が約１５ｍｍの両面粘着テープ７において、約３ｍｍピッチの間隔をあけて直径が約１ｍｍの複数の貫通孔９が長手方向に一列で並ぶ状態で形成されるものを例示したが、このような構成に代えて、空気溜りが形成されるのを回避することができるものであれば、種々の横幅寸法の両面粘着テープ７を用いて、貫通孔９の大きさや形成ピッチ等を適宜変更して実施することができる。又、長手方向に一列で並ぶ状態で形成するものに限らず、貫通孔を複数列にわたり形成するようにしたり、あるいは、複数の貫通孔を、テープ幅方向に広い範囲にわたり均等に分散させた状態で長手方向全長にわたって形成するものでもよい。
【００５６】
又、上記空気収納空間としては、上記したような厚み方向に貫通する形態で形成される貫通孔に代えて、両面粘着テープにおける床暖房パネル本体が接続される側の接着面から厚さ方向に沿って凹入する形態で形成される凹部にて構成されるものでもよい。
【００５７】
（２）上記第２実施形態では、空気流通用空間として、前記両面粘着テープ７における前記接着面の幅方向の一部において所定幅にわたり粘着剤層が設けられていない構成として、この粘着剤層が設けられていない空き領域にて溝部が構成されるものを例示したが、このような構成に限らず、両面粘着テープ７の基材に凹入部を形成することにより前記溝部を形成する構成等、種々の構成で実施することができる。又、前記溝部を１つだけ設ける構成に代えて、両面粘着テープにおける接着面の幅方向の広い範囲にわたって間隔をあけて並ぶ状態で複数の溝部を形成する構成としてもよい。
【００５８】
又、前記両面粘着テープの床暖房パネル本体が接続される側の接着面だけではなく、前記両面粘着テープの床仕上げ材が接続される側の接着面においても、厚さ方向に沿って凹入する形態で空気を収納するための空気流通用空間が形成されるものであってもよい。
【００５９】
（３）上記各実施形態では、床仕上げ材として、ゴム板の厚み方向両側に夫々中密度繊維板（ＭＤＦ）を接合して板体として形成されたものを用いたが、このような構成に限らず、床仕上げ材としては、例えば、一般的な床材であるフローリング材等で構成してもよく、それ以外にも種々の材質のものを利用可能である。
【００６０】
（４）上記各実施形態では、床暖房装置が、暖房用加熱体として熱媒が循環通流される熱媒通流管を備える構成としたが、暖房用加熱体としては電気ヒータを備える構成でもよい。又、板状基材の間に小根太を使用するタイプのものでも適応可能であり、各種の床暖房装置に適応可能である。又、両面粘着テープは、各種床暖房装置の他、床暖房装置以外に用いる床仕上げ材の固定手段としても適用可能である。
【図面の簡単な説明】
【００６１】
【図１】床暖房装置の全体平面図
【図２】床暖房装置の分解斜視図
【図３】床暖房装置の断面図
【図４】床仕上げ材の設置状態を示す図
【図５】床仕上げ材の設置状態を示す図
【図６】床仕上げ材の底面図
【図７】両面粘着テープの構成を示す図
【図８】両面粘着テープの斜視図
【図９】床暖房装置の断面図
【図１０】床暖房装置の全体平面図
【図１１】両面粘着テープの接着状態を示す図
【図１２】従来の両面粘着テープの接着状態を示す図
【符号の説明】
【００６２】
１          暖房用加熱体
４          床仕上げ材
７          両面粘着テープ
９          貫通孔
１０        溝部
Ｋ          空気収納空間
Ｐ          床暖房パネル本体
Ｒ          空気流通用空間
【図１】
2008045347.tif 000003
【図２】
2008045347.tif 000004
【図３】
2008045347.tif 000005
【図４】
2008045347.tif 000006
【図５】
2008045347.tif 000007
【図６】
2008045347.tif 000008
【図７】
2008045347.tif 000009
【図８】
2008045347.tif 000010
【図９】
2008045347.tif 000011
【図１０】
2008045347.tif 000012
【図１１】
2008045347.tif 000013
【図１２】
2008045347.tif 000014